(57)【要約】      （修正有）【課題】全体の美観を損ねること無く気化性剤収容容器を装着可能で、気化性剤の作用も阻害されることなく発揮される観賞用植物の鉢植えを提供する。【解決手段】鉢体１２と、該鉢体１２内部に収容され造花等の観賞用植物１３の植え込まれた土台部１４と、気化性剤の放出用空気孔２６が上部に形成された気化性剤収容容器２０を収納可能で、土台部１４に形成した凹部１９内に装着された上部開口Ａの容器受け入れ体２８と、を有する。【選択図】図１
0003158174.tif 000002
【実用新案登録請求の範囲】
【請求項１】
鉢体と、
該鉢体内部に収容され観賞用の植物又は擬似植物の植え込まれた土又は擬似土から成る土台部と、
前記土台部の表面に形成され、気化性剤の放出用空気孔が上部に形成された気化性剤収容容器が該放出用空気孔を露出させた状態で収納装着される凹部と、
を有することを特徴とする観賞用鉢植え。
【請求項２】
前記気化性剤収容容器の前記凹部への収納装着は、
該凹部に固着される上部開口の容器受け入れ体を介して行われることを特徴とする請求項１に記載の観賞用鉢植え。
【請求項３】
前記容器受け入れ体の上部開口には、
前記収納された気化性剤収容容器の空気孔を露出させる露出孔を備えた受け入れ体キャップが被着されたことを特徴とする請求項２に記載の観賞用鉢植え。
【請求項４】
前記容器受け入れ体には、
その底部外側面から延出し前記土台部の内部に掛着される掛着杭が設けられたことを特徴とする請求項２又は３に記載の観賞用鉢植え。
【請求項５】
前記観賞用の植物又は擬似植物は、前記鉢体の周囲の略全域に亘って前記土台部に複数本植え込まれており、
前記気化性剤収容容器は、前記鉢体の中央位置に配置されたことを特徴とする請求項１〜４の何れか１項に記載の観賞用鉢植え。
【考案の詳細な説明】
【技術分野】
【０００１】
本考案は、観賞用鉢植えに関し、特に、観賞用の植物、又はプリザーブドフラワー、ドライフラワー、人工葉、人工茎等の観賞用擬似植物が植え込まれた土台部を有する観賞用鉢植えの改良に関する。
【背景技術】
【０００２】
従来より、観賞用植物又は観賞用擬似植物（以下、これらを含み観賞用植物と記載する。）が土、又は発泡スチロールや樹脂等の擬似土から成る土台部に植え込まれた鉢植えが知られており、この鉢植えは室内における棚上などに設置される。一方、このような鉢植えの土台部に植え込まれた観賞用植物のために、芳香剤、消臭剤、及び除菌剤等の気化性剤を収容した気化性剤収容容器が設置されることがある。この気化性剤収容容器は、例えば、観賞用植物と同様にして室内における棚等に設置される。
【０００３】
また、このような気化性剤収容容器の一種である芳香容器の設置態様の一例が、特許文献１に開示されている。この文献１には、造花の花弁内部に芳香剤の入った薄肉の芳香容器を収容装着することが記載されている。これにより、造花の花弁から直接芳香を発生させるようにする。
【先行技術文献】
【特許文献】
【０００４】
【特許文献１】特開２００６−３０６４７９号公報
【考案の概要】
【考案が解決しようとする課題】
【０００５】
しかし、特許文献１における花弁内に気化性剤収容容器を設置する方法では、一般的な樹脂製の瓶状の芳香剤容器や消臭剤容器等のある程度の大きさや重さを有する容器の場合に、花弁の耐久度を考慮するとそれらを花弁に収容することは現実的には不可能である。
【０００６】
更に、特許文献１に記載の技術では、気化性剤が花弁に阻まれて空気中に拡散しづらくなって使用する気化性剤の作用が十分に発揮できない場合があり、特に、防腐剤、消臭剤及び除菌剤などに関して、これら気化性剤の機能の観点から花弁内に容器を装着することは現実的ではないという問題があった。
【０００７】
これに対して、鉢体の土台部に気化性剤収容容器を直接載置すると、鉢植え全体の美観を損ねるだけでなく、気化性剤収容容器が一瞬の隙に持ち去られる盗難の被害にあうという問題が発生していた。
【０００８】
本考案は、このような事情に鑑みてなされたものであり、その目的は、全体の美観を損ねること無く気化性剤収容容器を装着可能で、気化性剤の作用も阻害されることなく発揮される観賞用鉢植えを提供することにある。
【課題を解決するための手段】
【０００９】
上記課題を解決するために請求項１に記載された観賞用鉢植えは、鉢体と、該鉢体内部に収容され観賞用の植物又は擬似植物の植え込まれた土又は擬似土から成る土台部と、前記土台部の表面に形成され、気化性剤の放出用空気孔が上部に形成された気化性剤収容容器が該放出用空気孔を露出させた状態で収納装着される凹部と、を有することを特徴とする。
【００１０】
これによれば、土又は擬似土から成る土台部の表面に凹部が形成されており、この凹部に、気化性剤を収容した気化性剤収容容器が収納装着される。従って、気化性剤収容容器が土台部の凹部内に収まった状態となり、気化性剤収容容器が土台部に融合して鉢植え外部から目立ってしまうことによる美観の低下を防止することができる。更に、不正に気化性剤収容容器を持ち去ろうとする者に対して抵抗感を与えることができるので、気化性剤収容容器の盗難を抑止しその被害を防止することができるという作用も生じる。
【００１１】
また、気化性剤収容容器はその放出用空気孔を露出させた状態で凹部に収納装着されるので、気化性剤の大気中への拡散性も維持することができる。すなわち、気化性剤の機能も損なうこと無く確保することができる。
【００１２】
請求項２に記載の考案は、請求項１に記載の観賞用鉢植えにおいて、前記気化性剤収容容器の前記凹部への収納装着は、該凹部に固着される上部開口の容器受け入れ体を介して行われることを特徴とする。これによれば、容器受け入れ体により、気化性剤収容容器への凹部に装着位置が明確に確保されることとなる。
【００１３】
請求項３に記載の考案は、請求項２に記載の観賞用鉢植えにおいて、前記容器受け入れ体の上部開口には、前記収納された気化性剤収容容器の空気孔を露出させる露出孔を備えた受け入れ体キャップが被着されたことを特徴とする。
【００１４】
これによれば、容器受け入れ体の上部開口から受け入れ体キャップが被せられるので、気化性剤収容容器が容器受け入れ体から取外されてしまうことをより確実に防止することができる。すなわち、気化性剤盗難の被害をより確実に防止することができる。
【００１５】
一方で、この受け入れ体キャップは、気化性剤収容容器の放出用空気孔を露出させる露出孔を有していることから、当該空気孔の機能も損なうことなく確保される。なお、特に、気化性剤収容容器内の気化性剤が空になった場合には、受け入れ体キャップを容器受け入れ体から取り外すことで、この容器受け入れ体の上部開口から気化性剤収容容器を取り出し、容易に交換することができる。
【００１６】
請求項４に記載の考案は、請求項２又は３に観賞用鉢植えにおいて、前記容器受け入れ体には、その底部外側面から延出し前記土台部の内部に掛着される掛着杭が設けられたことを特徴とする。
【００１７】
これによれば、凹部内における容器受け入れ体の装着状態の安定化が図られる。特に、土台部が土や軟質な擬似土である場合には、土台部表面の凹部に容器受け入れ体を掛着杭の部分から押圧して差し込むことで、容器受け入れ体の土台部への装着を行うことができる。
【００１８】
請求項５に記載の考案は、請求項１〜４の何れか１項に記載の観賞用鉢植えにおいて、
前記観賞用擬似植物は、前記鉢体の周囲の略全域に亘って前記土台部に複数本植え込まれており、前記容器受け入れ体は、前記鉢体の中央位置に配置されたことを特徴とする。
【００１９】
これによれば、容器受け入れ体及び当該受け入れ体に収納された気化性剤収容容器は擬似植物の茎、葉、及び花部分等に囲まれて鉢植え外部から見て隠れた状態となる。従って、これら気化性剤収容容器が鉢植え外部から見えることによる鉢植えの美観の低下を防止し、且つ気化性剤収容容器の盗難による被害もより確実に防止することができる。
【考案の効果】
【００２０】
本考案にかかる観賞用鉢植えによれば、芳香剤や消臭剤等の気化性剤を収容した気化性剤収容容器が鉢体の土台部に融合して目立たなくなる、すなわち、鉢植え全体と一体化した状態となるので、鉢植え全体の美観を低下させることなく、気化性剤収容容器を装着することができ、不正な気化性剤収容容器の持ち去りを抑止し盗難の被害も防止することができる。更に、気化性剤収容容器の放出用空気孔は外部に露出した状態であるので、気化性剤収容容器内部の気化性剤と外気との接触も良好に維持することができ、気化性剤の機能も損なうこと無く確保することができる。
【図面の簡単な説明】
【００２１】
【図１】本実施の形態に係る観賞用鉢植えの形態を説明するである。
【図２】気化性剤容器受け入れ体とその収容体キャップの係合構造を説明する図である。
【図３】観賞用鉢植えの他の形態を示す図である。
【図４】観賞用鉢植えの容器受け入れ体の構造を説明する図である。
【考案を実施するための形態】
【００２２】
以下、本考案にかかる実施の形態について図面を参照して詳細に説明する。
図１には、本実施の形態に係る観賞用植物（造花）の鉢植えの概略全体図を示している。
【００２３】
図示のように、観賞用鉢植え１０は、鉢体１２と、この鉢体１２の内部に収容された土台部１４と、この土台部１４に植え込まれた観賞用擬似植物である造花１３と、気化性剤収容容器としての気化性剤収容容器２０が収納取り付けされる気化性剤容器取り付け具１８と、を有している。
【００２４】
鉢体１２は、陶器、或いはポリエチレンやポリプロピレンなどの硬質樹脂等の材質で構成されており、本実施の形態では上部開口の略円筒形状（バケツ型）に形成されている。
造花１３は、所定の有機溶媒を用いて生花に対して処理を施すことで得られた擬似植物である。なお、図において示す造花は、バラ及びその葉に上記処理を施すことで作成されたものである。
【００２５】
また、土台部１４は、造花１３が植え込まれる土台として機能しており、本実施の形態では、発泡スチロールで形成されている。この土台部１４の鉢体１２上における略中央部付近には、気化性剤容器取り付け具１８が固着される凹部１９が形成されている。使用される気化性剤は、芳香剤、消臭剤、及び防腐剤等の鉢植え１０に植えられた植物の鑑賞効果、及び品質の維持を図るために使用されるものである。特に、本実施の形態では、気化性剤として除菌剤であるクレベリン（登録商標）などが使用される。
【００２６】
気化性剤収容容器２０は、この除菌剤を収納した容器であり、気化性剤を収容している本体２２と、気化した気化性剤を放出するための放出空気孔２６を備えた本体上部に被せられる蓋部２４と、から構成される。
【００２７】
気化性剤容器取り付け具１８は、気化性剤収容容器２０の容器本体２２を受け入れる上部開口Ａを有する容器受け入れ体２８と、この容器受け入れ体２８に被着される収容体キャップ３０から成る。容器受け入れ体２８は、アクリル、ポリカーボネート、ポリエチレン、ポリプロピレン等の硬質樹脂材料で形成されており、気化性剤収容容器２０の容器本体２２の形状に合わせて略円筒形状を有している。そして、この容器受け入れ体２８は、上述の土台部１４の凹部１９に固着されている。なお、この固着は、接着剤、両面テープ、フック等の種々の接着手段を用いて行うことができる。
【００２８】
容器受け入れ体２８の内径は、容器本体２２の外径よりも若干大きい程度に形成されている。従って、容器本体２２は、容器受け入れ体２８にほぼぴったりと填まって収納される。
【００２９】
従って、本実施の形態では、土台部１４の凹部１９に固着される容器受け入れ体２８により、気化性剤収容容器２０の装着位置が確保されている。
【００３０】
更に、この容器受け入れ体２８には、上部開口Ａ側から収容体キャップ３０が装着される。収容体キャップ３０は、主として、略円板状の天板部３０ａと、この天板部３０ａの縁部から容器受け入れ体２８側（図の下方）に立設される側壁からなる。また、天板３０ａの略中央部には、容器受け入れ体２８に受け入れられた状態の気化性剤収容容器２０の放出空気孔２６部分を露出させる露出孔３１が形成されている。特に、本実施の形態では、この露出孔３１は、気化性剤収容容器２０の蓋部２４を通過させることができる最低限の大きさに形成されている。すなわち、露出孔３１の径と蓋部２４の径は、ほぼ等しくなっている。これにより、蓋部２４と露出孔３１の間に手を入れて気化性剤収容容器２０を持ち去ろうとするような行為を防止することができる。
【００３１】
また、収容体キャップ３０の側壁部の端部には、上述の容器受け入れ体２８の上部開口Ａ側の縁部に形成された螺状部２８ｂと係合する螺状部３０ｂが形成されている。
【００３２】
図２は、容器受け入れ体２８と収容体キャップ３０の係合構造を説明する図である。図示のように、容器受け入れ体２８の螺状部２８ｂが収容体キャップ３０の螺状部３０ｂと螺合する。これにより、容器受け入れ体２８の上部開口Aから収容体キャップ３０を被せ、それぞれの螺状部２８ｂと螺状部３０ｂの位置を適切に合わせて、収容体キャップ３０をねじることにより、収容体キャップ３０を容器受け入れ体２８に容易に取り付けることができる。また、収容体キャップ３０を逆にねじることでその取外しも容易である。
【００３３】
上記構成により、本実施の形態にかかる観賞用鉢植え１０によれば、容器受け入れ体２８が土台部１４の表面に形成された凹部１９内に装着されており、この容器受け入れ体２８に、気化性剤を収容した気化性剤収容容器２０が収納されることとなる。従って、気化性剤収容容器２０が土台部１４の凹部１９内に収まった状態となり土台部１４に融合して、気化性剤収容容器２０が鉢植え外部から目立ってしまうことによる美観の低下を防止することができる。また、このように気化性剤収容容器２０が土台部１４に埋まって融合化されていることにより、不正に気化性剤収容容器２０を持ち去ろうとする者に対して強い抵抗感を与えることができる。従って、気化性剤収容容器２０の盗難を抑止しその被害を防止することができる。
【００３４】
更に、本実施の形態では、容器受け入れ体２８の上部開口Aから受け入れ体キャップ３０が被せられるので、気化性剤収容容器２０が容器受け入れ体２８から取外されてしまうことをより確実に防止することができる。すなわち、気化性剤盗難２０の被害をより確実に防止することができる。
【００３５】
なお、この受け入れ体キャップ３０は、気化性剤収容容器２０の放出用空気孔２６を露出させる露出孔３１を有していることから、気化性剤を拡散させる機能も損なうことなく確保される。なお、特に、気化性剤収容容器２０内の気化性剤が空になった場合には、受け入れ体キャップ３０を容器受け入れ体２８から取り外すことで、この容器受け入れ体２８の露出した上部開口Aから気化性剤収容容器２０を取り出し、容易に交換することができる。
【００３６】
そして、図１から理解されるように、本実施の形態では、造花１３が、鉢体１２の周囲のほぼ全域に亘って土台部１４に複数本植え込まれており、容器受け入れ体２８は、鉢体１２の中央位置に配置されているので、容器受け入れ体２８及びその受け入れ体２８に収納された気化性剤収容容器２０は造花１３やその葉に囲まれて鉢植え１０の外部から隠れた状態となっている。従って、鉢植え外部から気化性剤収容容器２０及び容器受け入れ体２８が隠れて見えないので、鉢植え１０の全体的な美観が良好に確保されている。
【００３７】
図３は、他の実施の形態に係る観賞用鉢植え１０を説明する図である。なお、上記実施の形態と同様の要素には同一の符号を付し、その説明を省略する。この図に示された観賞用鉢植え１０では、生花の胡蝶蘭１３を保持する土台として、鑑賞者が本物の植物が植えられているかのような臨場感を得るために、擬似体では無く、本物の土で形成された土台部３４が用いられている。
【００３８】
図４には、この観賞用鉢植え１０の要部概略断面図を示す。図示のように、この容器受け入れ体２８には、その底面の外側面２８ａから延出する棒状の掛着杭３２が形成されている。このように、掛着杭３２が、外側面２８ａから所定長さ延びて土台部３４に刺さることで掛着力を得て、容器受け入れ体２８全体の土台部３４への安定した装着状態が達成される。特に、図の形態では、この掛着杭３２に複数の突起３２ａが形成されていることで、容器受け入れ体２８の土台部３４への掛着力がより強められている。
【００３９】
このように、容器受け入れ体２８に、その底部外側面２８aから延出した掛着杭３２を有しており、この掛着杭３２が、気化性剤収容容器２０を収容している容器受け入れ体２８を土台部３４に強固に掛着するので、簡単な構成で容器受け入れ体２８の土台部３４への係止力を向上させ、容器受け入れ体２８の凹部１９内における装着状態をより安定化させることができる。
【００４０】
特に、本実施の形態のように、土台部３４が土（或いは他の軟質な擬似土）である場合には、土台部３４表面の凹部１９に容器受け入れ体２８を掛着杭３２の部分から押圧して差し込むことで、容器受け入れ体２８の土台部１４への装着を行うことができる。
【００４１】
なお、本考案は、上記実施の形態に限定されるものではなく、考案の要旨の範囲内で種々の変更が可能である。例えば、上記実施の形態では、観賞用擬似植物としてバラの造花１３や生花の胡蝶蘭１３が用いられているが、これに限られず、ドライフラワー等の他の種類の造花、或いは他の種類の生花等の種々の観賞用の植物又は擬似植物を採用しても良い。また、土台部１４、３４の材料は、土や発泡スチロールに限られるものではなく、コンクリート、金属、及び樹脂等の観賞用の植物又は擬似植物を保持することができる材料であれば、種々のものを適用できる。
【００４２】
更に、容器受け入れ体２８を用いること無く、土台部１４、３４に形成される凹部１９に直接に気化性剤収容容器２０を収納装着しても良い。また、気化性剤収容容器２０の土台部１４、３４上の装着位置も鉢体１２の中央位置に限られず、例えば、植え込まれている擬似植物１３の位置に応じて、鉢植え１０の外部から目立たなくなるように適宜変更することができる。更に、容器受け入れ体２８への収容体キャップ３０の被着のための構造は、上述の螺合による装着に限られず、他の種々の形態が適用可能である。
【符号の説明】
【００４３】
１０      観賞用鉢植え
１２      鉢体
１４      土台部
１８      気化性剤容器取り付け具
２０      気化性剤収容容器
２６      放出空気孔
２８      容器受け入れ体
３０      収容体キャップ
３１      露出孔
３２      掛着杭
【図１】
0003158174.tif 000003
【図２】
0003158174.tif 000004
【図３】
0003158174.tif 000005
【図４】
0003158174.tif 000006